(57)【要約】  【課題】  円弧状外壁の端部（12a）とドアパネル(14)との間に人がはさまり、死傷する事態を防止しうる回転式自動ドア、及びそのような回転式自動ドアを備える建物を提供することを目的とする。  【解決手段】  上記課題は、出入口(11)を有する円弧状外壁(12)と、円弧状外壁内に回転可能に設けた回転体(13)と、回転体に取り付けた少なくとも２枚のドアパネル(14)と、円弧状外壁の端部(12a)に位置する可動式のドア(15)とを具備する本発明の回転式自動ドア、及びそのような回転式自動ドアを備える建物により解決される。  【選択図】  図１
2006002424.tif 000002
【特許請求の範囲】
【請求項１】
出入口(11)を有する円弧状外壁(12)と、
前記円弧状外壁内に回転可能に設けた回転体(13)と、
前記回転体に取り付けた少なくとも２枚のドアパネル(14)と、
前記円弧状外壁の端部(12a)に位置する可動式のドア(15)とを具備する回転式自動ドア。
【請求項２】
請求項１に記載の回転式自動ドアを具備する建物。
【発明の詳細な説明】
【技術分野】
【０００１】
本発明は、回転式自動ドア及び建物に関する。より詳しくは、外壁とドアパネルとの間に人がはさまれる事態を防止できる回転式自動ドア及びそのようなドアを具備する建物に関する。
【背景技術】
【０００２】
建物に設置されるドアとして、回転式自動ドアが知られている（例えば、特開平６−１０８７３５号公報（特許文献１）参照）。回転式自動ドアを備えた建物は、美観が向上し、温度制御などがしやすくなる。このため、回転式自動ドアは、特に近代的高層ビルなどで好適に採用されている。図３に、そのような回転式自動ドアの例を示す。図３に示すように、回転式自動ドアの例としては、出入口(11)を有する円弧状外壁(12)と、円弧状外壁内に回転可能に設けた回転体(13)と、回転体に取り付けた４枚のドアパネル(14)とを具備するものがある。そして、回転体(13)を一定方向に回転させることで、ドアパネル(14)が円弧状外壁(12)に沿って移動し、それによって出入口(11)が開閉される。なお、図３は、回転式自動ドアの構造を分りやすく説明するために、円弧状外壁(12)を回転体(13)から遠ざけて描いている。
【０００３】
回転式自動ドアは、円弧状外壁の端部（12a）とドアパネル(14)との間に人がはさまり、人が死傷する事態が生じ得るという問題がある。この問題を解消するために人がはさまっているかどうかを感知してドアパネルの挙動を制御するセンサを具備した回転式自動ドアが知られている（例えば、特開平６−１０８７３５号公報（特許文献１）参照）。しかしながら、このようなセンサを用いても、特に子供などが回転式自動ドアにはさまる事態は生じてしまう。その結果、ドアにはさまれた子供などが死傷する事件が起こっている。
【０００４】
【特許文献１】特開平６−１０８７３５号公報
【発明の開示】
【発明が解決しようとする課題】
【０００５】
本発明は、円弧状外壁の端部（12a）とドアパネル(14)との間に人がはさまり、死傷する事態を防止し得る回転式自動ドアを提供することを目的とする。
【０００６】
本発明は、上記のような回転式自動ドアを備える建物を提供することを別の目的とする。
【課題を解決するための手段】
【０００７】
本発明の回転式自動ドアは、出入口(11)を有する円弧状外壁(12)と、円弧状外壁内に回転可能に設けた回転体(13)と、回転体に取り付けた少なくとも２枚のドアパネル(14)と、円弧状外壁の端部(12a)に位置する可動式のドア(15)とを具備する。
【０００８】
本発明の建物は、上記のような回転式自動ドアを備える。
【発明の効果】
【０００９】
本発明の回転式自動ドアは、前記円弧状外壁(12)の端部に取り付けた可動式のドア(15)を具備する。このため、本発明の回転式自動ドアは、可動式のドアの端部（15a）とドアパネル(14)との間に人がはさまった場合でも、可動式のドアが動くので衝撃を和らげることができ、人が死傷する事態を防止しうる。
【００１０】
本発明の建物は、本発明の回転式自動ドアを備えるので、安全性が高く、しかも美観や断熱性に優れる。
【発明を実施するための最良の形態】
【００１１】
図面を参照しつつ本発明の回転式自動ドアを説明する。図１は、本発明の回転式自動ドアの横断面図である。図１に示すように、本発明の回転式自動ドアは、出入口(11)を有する円弧状外壁(12)と、円弧状外壁内に回転可能に設けた回転体(13)と、回転体に取り付けた少なくとも２枚のドアパネル(14)と、円弧状外壁の端部(12a)に位置する可動式のドア(15)とを具備する。
【００１２】
円弧状外壁は、回転ドアに用いられる公知の円弧状外壁を採用でき、例えば特開平6-108735号公報（側壁）、特開2002-332773号公報（ケーシング）、特開2003-214045号公報などに記載のものを採用できる。回転ドアの枠の材質として，ステンレス，及びアルミがあげられる。また、窓部があるものについて、その窓部の材質は、通常のガラスの他、強化ガラスを用いてもよい。円弧状外壁の高さとして、2m〜7mがあげられ、好ましくは2.5m〜6mであり、より具体的には、3.6m，4.2m又は4.8mがあげられる。円弧状外壁の円弧は、直径が2m〜7mの円周の一部があげられ、好ましくは2.5m〜6mの円周の一部であり，より具体的には、3.6m，4.2m又は4.8mの円周の一部のものがあげられる。
【００１３】
回転体は、回転ドアに用いられる公知の回転体を採用でき、例えば特開平6-108735号公報、特開2002-332773号公報、特開2003-214045号公報などに記載のものを採用できる。回転体の回転中心と、円弧状外壁の円中心とは、通常およそ一致している。そして、その回転制御機構も公知のものを採用できる。
【００１４】
ドアパネルは、回転ドアに用いられる公知のドアパネルを採用でき、例えば特開平6-108735号公報、特開2002-332773号公報、特開2003-214045号公報などに記載のものを採用できる。ドアパネルは、通常枠体と窓部とからなり、これらの素材は、上記の円弧状外壁と同様のものを用いることができる。ドアパネルの枚数は、２枚以上であれば特に限定されないが、３枚又は４枚が好ましい。ドアパネルは、回転体に取り付けたものであるが、その取り付け方は回転体の回転駆動がドアパネルに伝わるものであれば特に限定されない。なお、複数枚のドアパネルの回転中心と円弧状外壁の円中心とは、好ましくは一致している。
【００１５】
可動式のドアは、円弧状外壁の端部(12a)に位置するドアである。可動式のドアは、回転ドアに人がはさまった場合に、人がはさまったことによる応力を利用して動くことができるので、人への衝撃を和らげるように機能できる。このような観点から、本発明の可動式のドアは、円弧状外壁の端部(12a)の地面より少し高い部分から、少なくとも子供の身長程度の位置までの高さがあることが好ましい。すなわち、可動式のドアは、ドアパネルと同じ高さである必要はないが、60cm〜6mがあげられ、好ましくは80cm〜3mであり、より好ましくは1m〜2mである。可動式ドアの幅は、ドアパネルの全体である必要はない。可動式ドアの幅として、40cm〜1.5mがあげられ、好ましくは50cm〜1mであり、より好ましくは60cm〜80cmである。
【００１６】
図２に、図１のA−A'断面図を示す。なお図２に示される回転式自動ドアは、可動式のドア(15)が、ドアパネル(14)の端部に設けられたものである。なお、可動式のドア(15)が円弧状外壁の端部(12a)に取り付けられるものは、本発明の別の実施態様である。
【００１７】
図２に示す可動式のドアは、例えば、ドアパネル(14)に公知のヒンジ(16)を介して取り付けられる。これにより、可動式ドアに力が加われば、可動式のドアが移動できる。図２に示す可動式のドアは、好ましくはその静置時に円弧状外壁の円の中心方向に向かうように、すなわちドアパネルと同様の向きを向くようにされている。このような向きであれば、ドアパネルと一体化できるので、建物の断熱性を高めることができる。
【００１８】
本発明の回転式自動ドア（以下単に「回転ドア」ともいう）は、回転ドアに用いられている周知の機構を更に具備してもよい。このような機構としては、回転ドア付近に人がいるかどうかを感知する人感知センサ（ドアセンサ）、人がはさまれた事を感知する戸挟みセンサ、各センサの情報に基づいて回転体の回転を制御する回転体制御機構などがあげられる。
【００１９】
以下、本発明の回転ドアの基本動作例を説明する。人が回転ドアの付近にいない時は回転ドアが停止している。この際に、ドアパネル(14)と可動式のドア(15)とが一体となる。これにより回転ドアを具備する建物の断熱性が保たれる。
【００２０】
回転ドアに人が近づくと、人感知センサが作動し、回転体制御機構が回転体を駆動する。すると、回転体に取り付けたドアパネル(14)が回転移動する。その回転方向は、例えば図１の矢印ａで示される方向である。ドアパネル(14)が回転移動するので、人が入口から出口へと導かれることとなる。
【００２１】
人が通過し終わると、それ以上回転ドアを回転させる必要がなくなる。そこで、回転体制御機構が、回転体(13)を駆動して、回転体(13)に取り付けられるドアパネル(14)を円弧状外壁(12)のある位置まで移動させる。
【００２２】
以下、ドアパネル(14)と円弧状外壁(12)との間に人が挟まれた場合の動作例を説明する。図１に示す回転ドアでは、人が可動式のドア(15)と円弧状外壁(12)とのの間にはさまれた場合、可動式のドア(15)が、図１のｂで示される方向へ動く。これにより、人に加わる衝撃を和らげることができ、人が死傷する事態を防止できる。
【００２３】
本発明の建物は、これまで説明した回転ドアを具備する。よって、本発明の建物は、回転ドアの美観や温度制御性などの機能を享受しつつ、回転ドアに人がはさまって死傷する事態を防止できる。
【産業上の利用可能性】
【００２４】
本発明の回転ドアは、回転式自動ドア及び回転式自動ドアを具備する建物として有効に利用され得る。
【００２５】
本発明の建物は、安全性に優れた建物として有効に利用され得る。
【図面の簡単な説明】
【００２６】
【図１】図１は、本発明の回転式自動ドアの横断面図である。
【図２】図２は、図１のA−A'断面図である。
【図３】図３は、従来の回転式自動ドアの例を示す横断面図である。
【符号の説明】
【００２７】
11  出入口
12  円弧状外壁
12a  円弧状外壁の端部
13  回転体
14  ドアパネル
15  可動式のドア
16  ヒンジ
【図１】
2006002424.tif 000003
【図２】
2006002424.tif 000004
【図３】
2006002424.tif 000005